(57)【要約】      （修正有）【課題】シリンダー内の応力ピークを最小限とする。【解決手段】シリンダーを有する振動減衰器であって、このシリンダーに止め具形状のアタッチメント部材７が固定されており、アタッチメント部材が管体９を備えており、この管体がシリンダーの外側面に当接し、およびその両端部に周囲方向に間隔をあけた放射方向の連結部材１１；１３を備えており、これら連結部材を介して締め付け手段によってプリテンション力が管体内の周囲方向において導入される振動減衰器において、管体が、シリンダーの側面の周囲方向に向けられた伸縮部１９を備えている。【選択図】図３
2014190540.tif 000002
【特許請求の範囲】
【請求項１】
シリンダー（３）を有する振動減衰器（１）であって、このシリンダーに止め具形状のアタッチメント部材（７）が固定されており、その際、アタッチメント部材（７）が管体（９）を備えており、この管体がシリンダー（３）の外側面（５）に当接し、およびその両端部に周囲方向に間隔をあけた放射方向の連結部材（１１；１３）を備えており、これら連結部材を介して締め付け手段によってプリテンション力が管体（９）内の周囲方向において導入される振動減衰器（１）において、
管体（９）が、シリンダー（３）の側面（５）の周囲方向に向けられた伸縮部（１９；２９）を備えていることを特徴とする振動減衰器（１）。
【請求項２】
伸縮部（１９）が、管体（９）の少なくとも一つの部分的な直径拡大部により形成されることを特徴とする請求項１に記載の振動減衰器。
【請求項３】
直径拡大部が、管体（９）内の少なくとも一つの軸方向の襞により形成されることを特徴とする請求項２に記載の振動減衰器。
【請求項４】
伸縮部（１９）が、管体（９）の断面減少部により形成されることを特徴とする請求項１に記載の振動減衰器。
【請求項５】
断面減少部が、管体（９）の壁厚減少部により形成されることを特徴とする請求項４に記載の振動減衰器。
【請求項６】
断面減少部が、開口部（２３）により境界づけされた管体（９）中の縁ウェブ部（２９）により形成されることを特徴とする請求項４に記載の振動減衰器。
【請求項７】
管体（９）の周囲方向における開口部（２３）の主軸が、管体（９）の軸方向における開口部の主軸よりも長いことを特徴とする請求項６に記載の振動減衰器。
【請求項８】
断面減少部が、管体（９）における少なくとも一つの縁側の空所（２５）により形成されることを特徴とする請求項４に記載の振動減衰器。
【請求項９】
少なくとも一つの縁側の空所（２５）が、管体（９）のおける少なくとも一つの開口部（２３）に対して周囲方向でオフセットされて実施されていることを特徴とする請求項８に記載の振動減衰器。
【発明の詳細な説明】
【技術分野】
【０００１】
本発明は、止め具形状のアタッチメント部材を有する請求項１の上位概念に係る振動減衰器に関する。
【背景技術】
【０００２】
特許文献１から、この振動減衰器に対して止め具形状のアタッチメント部材が固定されているという振動減衰器が公知である。当該振動減衰器は、円形状の断面を有するシリンダーを有している。シリンダーの側面には、止め具形状のアタッチメント部材が設けられている。アタッチメント部材が締め付けられていない状態では、放射方向の二つの連結部材が、鋭角の隙間を形成している。締め付けねじにより所定の締め付け力がもたらされると、双方の連結部材は互いに近づく方向へと移動し、その際、角度は小さくなる。連結部材のこのような締め付け動作によって、アタッチメント部材の管体においては、管体の周囲方向における応力（テンション、独語ではＳｐａｎｎｕｎｇ）がもたらされる。この応力は、アタッチメント部材のシリンダーに対する保持力を与える。アタッチメント部材の支持・補強の為のシリンダー直径拡張部はこの場合必要ない。
【先行技術文献】
【特許文献】
【０００３】
【特許文献１】独国特許出願第１０  ２００９  ００１  ２５６  Ａ１号明細書
【発明の概要】
【発明が解決しようとする課題】
【０００４】
基本的な問題は、管体とシリンダーの間で一様でない応力分配（独語でいうＳｐａｎｎｕｎｇｓｖｅｒｔｅｉｌｕｎｇ）が、応力ピーク（独語でいうＳｐａｎｎｕｎｇｓｓｐｉｔｚｅｎ）に至り、この応力ピークが場合によっては、シリンダーの強度値を越えてしまうという点に存在する。
【０００５】
本発明の課題は、上述したシリンダー内の応力ピークを最小限とすることである。
【課題を解決するための手段】
【０００６】
発明に従いこの課題は、管体が、シリンダーの側面の周囲方向に向けられた伸縮部を有することにより解決される。
【０００７】
意図的にもたらされた伸縮部によって、アタッチメント部材の伸縮（または拡張、独語でいうＤｅｈｎｕｎｇ）の様子は、シリンダーに正確に合わせられるので、応力ピークの悪影響は最少とされることが可能である。
【０００８】
一つの可能性は、伸縮部が、管体の少なくとも一つの部分的な直径拡大部から形成される点にある。管体は、そのような形態においては、もはや全面的に（ぴったりと）シリンダーの側面に載置されない。直径拡大部は、この場合、管体の直径を増加させることを可能とするばねのように作用するので、均等なプリテンション力がシリンダーに達せられる。
【０００９】
一つの実施例は、直径拡大部が、管体における少なくとも一つの軸方向の襞（独語でいうＳｉｃｋｅ）から形成される点で特徴的である。一つの襞は、極めて簡単に管体内へと形成することが可能である。当然、複数の襞もまた管体内へと形成されることができる。
【００１０】
別のバリエーションにおいては、周辺領域の伸縮部が、管体の断面減少部を有し（断面減少部により）形成されている。断面減少部の領域においては、管体の通常断面に比較して大きな伸縮が発生するので、同様に応力ピークがアタッチメント部材とシリンダーの間の接触領域において取り除かれる。
【００１１】
例えば、断面減少部が、管体の一つの壁厚減少部から形成されるということも意図され得る。薄板として実施されるアタッチメント部材においては、例えばいわゆるテイラーロールド薄板（独語でいうＴａｉｌｏｒ−ｒｏｌｌｅｄ−Ｂｌｅｃｈｅ）を使用することが可能である。このテイラーロールド薄板においては、圧延の際に異なる壁厚が形成されることが可能である。
【００１２】
代替として、断面減少部が、管体における一つの開口部を境界づける縁ウェブ部から形成されることが可能である。残りの断面部としては、管体内の壁部が用いられる。この壁部は、所定の張力のもとある大きさの伸縮を実施することが可能である。
【００１３】
管体の周囲方向における開口部の第一の主軸が、管体の軸方向における開口部の第二の主軸よりも長いとき、特に有利であるということが判明した。これによって伸縮方向が明確に定義される。
【００１４】
断面減少部は、管体内の少なくとも一つの縁側の空所により形成されることもまた、意図され得る。その様な空所は、特に簡単に製造されることが可能である。
【００１５】
特に良好な結果は、少なくとも一つの縁側の空所が、周囲方向の管体内の少なくとも一つの開口部に対しオフセットされていることにより達成される。そのような開口部と空所の組合せにおいて、周囲方向に対して傾斜したウェブが生ずる。これらウェブは、特に有利な伸縮挙動をもたらす。
【００１６】
以下の図面の説明に基づき、本発明は詳細に説明される。
【図面の簡単な説明】
【００１７】
【図１】振動減衰器の部分図
【図２】図１に記載のアタッチメント部材の詳細図
【図３】図１に記載のアタッチメント部材の詳細図
【図４】図１に記載のアタッチメント部材の詳細図
【図５】図２−４に記載の実施例に対する代替案
【図６】図２−４に記載の実施例に対する代替案
【発明を実施するための形態】
【００１８】
図１は、振動減衰器１の部分図を示す。この振動減衰器は、シリンダー３を有しており、このシリンダーの外側面５に、止め具形状の（独語でいうｓｃｈｅｌｌｅｎｆｏｅｒｍｉｇ）アタッチメント部材７が固定されている。図２から４に記載のアタッチメント部材７は、管体９を有している。この管体は、側面５の形状に合わされている。管体９は、薄板の曲げ部材として形成されている。これは、その両端部に放射方向の連結部材１１；１３を有している。図示されていない締め付け手段、好ましくは締め付けねじによって、管体の周囲方向におけるプリテンション力をもたらすために、双方の連結部材１１；１３は少なくともわずかに、互いに間隔をあけている。双方の連結部材１１；１３の間の間隔は、締め付け経路（独語でいうＳｐａｎｎｗｅｇ）として使用される。
【００１９】
運転力（独語でいうＢｅｔｒｉｅｂｓｋｒａｆｔ）、例えばスタビライザーのための支持力を受け入れるために、連結部材１１；１３と連結部材１１；１３から管体９への移行部は、曲げられた縁部１５；１７によって補強されている。
【００２０】
管体９のプリテンション力をシリンダー３へと良好に導入する点について、管体９はシリンダー３の側面５の周囲方向に向けられた伸縮部１９を備えている。この伸縮部１９は、管体９の、少なくとも一つの部分的な直径拡張部１９により、少なくとも一つの軸方向の襞の構造形状で形成される。襞（独語でいうＳｉｃｋｅ）は、管体９のプリテンション力のもと伸ばされ、または拡げられるそして強いばねのように作用するので、管体９は可能な限り均等にシリンダー３に当接する。両図２および３中には、二つの襞が見て取れる。これらは、両連結部材１１；１３の間の横断方向軸２１に対して対象に推移している。これによって、両方の半管体の均等な伸縮が生じる。
【００２１】
図５および６は、管体９における伸縮部１９が、断面減少部を有する周囲領域から形成されるという一つのバリエーションを示す。一つには、基礎材料の材料厚さ（独語でいうＭａｔｅｒｉａｌｓｔaｒｋｅ）を減少することが可能である。
【００２２】
図５および６内では、管体９における開口部２３が見て取れる。これは同様に断面減少部１９を表し、そしてウェブを形成する。このウェブは、隣接する領域の完全な材料と比較して、容易に伸縮し、または延びることができる。図内では、開口部２３が円形で表されている。開口部を、例えば楕円形に形成する結果、管体の周囲方向における開口部２３の第一の主軸が、管体の軸方向における開口部２３の第二の主軸よりも長いということもまた可能である。
【００２３】
更に管体９は、少なくとも一つの縁側の空所２５を有する。管体９内の少なくとも一つの開口部２３に対し、周囲方向でオフセットして形成された、少なくとも一つの縁側の空所２５の組合せによって、伸縮部１９として、管体の長手軸に対して傾斜して推移するウェブが生ずる。表されたバリエーションでは、管体９の両方の縁部から出発して丸められた空所２５が実施（形成）されている。これによってくびれ個所２７が生じる。これは、周囲方向において開口部２３と隣接している。くびれ個所２７における断面は、基本的に、開口部２３を境界づける縁ウェブ部２９の領域における最少断面に相当する。
【００２４】
斜めに推移するウェブは、特に有利な伸び挙動によって際立っている。このような挙動のもと、管体９におけるフリーパンチ（独語でいうＦｒｅｉｓｃｈｎｉｔｔｅ）２３；２５は、ウェブの変形を簡単にする。管体９のプリテンション力のもと、管体９は周囲方向に延び、その際開口部は傾向として楕円形状を取る、つまり傾斜したウェブは周囲方向でより強く傾き、そして縁ウェブ部２９の間の軸方向の間隔は減少する。
【符号の説明】
【００２５】
１     振動減衰器
３     シリンダー
５     側面
７     アタッチメント部材
９     管体
１１   連結部材
１３   連結部材
１５   縁部
１７   縁部
１９   伸縮部
２１   横断方向軸
２３   開口部
２５   縁側の空所
２７   くびれ部
２９   縁ウェブ部
【図１】
2014190540.tif 000003
【図２】
2014190540.tif 000004
【図３】
2014190540.tif 000005
【図４】
2014190540.tif 000006
【図５】
2014190540.tif 000007
【図６】
2014190540.tif 000008